(57)【要約】【課題】人体工学的に自然な姿勢で腕時計を確認する際に、文字盤が見易くなるような腕時計を提供する。【解決手段】時計本体(7)と、該時計本体(7)に取り付けられた帯状のバンド(2)とを有する腕時計であって、左腕に装着するための左腕用時計における時計本体(7)の文字盤(3)の子午線(D)が、前記バンド(2)の長手方向に沿った中央線(C)に対して、右に２５°〜３５°のいずれかの角度だけ中心(5)の周りに回転した位置となるように該文字盤(3)を配置する。あるいは、右腕に装着するための右腕用時計における時計本体(7)の文字盤(3)の子午線(D)が、前記バンド(2)の長手方向に沿った中央線(C)に対して、左に２５°〜３５°のいずれかの角度だけ中心(5)の周りに回転した位置となるように該文字盤を配置する。角度が３０°であることが好適である。【選択図】図１
0003146729.tif 000002
【実用新案登録請求の範囲】
【請求項１】
時計本体(7)と、該時計本体(7)に取り付けられた帯状のバンド(2)とを有する腕時計であって、
左腕に装着するための左腕用時計における時計本体(7)の文字盤(3)の子午線(D)が、前記バンド(2)の長手方向に沿った中央線(C)に対して、該文字盤(3)の中心(5)の周りに右に２５°〜３５°のいずれかの角度だけ回転した位置となるように該文字盤(3)を配置したことを特徴とする左腕用の腕時計。
【請求項２】
前記角度が３０°であることを特徴とする請求項１に記載の左腕用の腕時計。
【請求項３】
時計本体(7)と、該時計本体(7)に取り付けられた帯状のバンド(2)とを有する腕時計であって、
右腕に装着するための右腕用時計における時計本体(7)の文字盤(3)の子午線(D)が、前記バンド(2)の長手方向に沿った中央線(C)に対して、該文字盤(3)の中心(5)の周りに左に２５°〜３５°のいずれかの角度だけ回転した位置となるように該文字盤(3)を配置したことを特徴とする右腕用の腕時計。
【請求項４】
前記角度が３０°であることを特徴とする請求項３に記載の右腕用の腕時計。
【考案の詳細な説明】
【技術分野】
【０００１】
本考案は、文字盤の新規な配置構成を備えた腕時計に関する。
【背景技術】
【０００２】
従来の腕時計においては、例えば、円形や角形の枠をもつ時計本体の両側に帯状のバンドが取り付けられ、時計本体は、正面側に文字盤と針（少なくとも長針と短針、場合によってはさらに秒針）を備えている。文字盤には、時刻を示すための指標が示されている。この指標とは、例えば、時刻を表す数字（アラビア数字またはローマ数字等）、線（１分刻み、５分刻み等）または符号（ドットや任意の形等）等である。このような数字、線または符号等は、「１」〜「１２」の全ての時刻位置に標示される場合も、一部の時刻位置にのみ標示される場合もあり、そのデザインは多様である。線または符号等のみで、数字が全くない文字盤もあるが、少なくとも基準となる時刻位置（通常は「１２」の時刻位置）が、どの位置であるかは判るようになっている。
通常は、バンドの長手方向に沿ったバンド中央線（幅方向中央位置を通る線）に対して、時計本体の文字盤の子午線（本明細書における「子午線」とは、文字盤の中心を通り、「１２」の時刻位置と「６」の時刻位置とを結ぶ文字盤中央線を意味する）が重なるように配置されていた。
【０００３】
なお、アナログ腕時計において、バンド中央線に対して文字盤の子午線を直角に配置したもの（特許文献１）、デジタル腕時計において、バンド中央線に対してデジタル表示を直角に配置したもの（特許文献２）がある。これらの従来技術は、時計を嵌めた腕を身体の前面にもってくるように曲げなくても、腕を前方に延ばしたままで、また、視線を前方に向けたままで、表示された数字等を傾きの無い状態で読めるという特徴がある。
【特許文献１】実用新案登録第３０４５６１４号公報
【特許文献２】実開平６−５３９９３号公報
【考案の開示】
【考案が解決しようとする課題】
【０００４】
図４(Ａ)及び(Ｂ)は、それぞれ左腕及び右腕に装着した従来の一般的な腕時計１００において、時刻を確認する際の状態を示す図である。２点破線は、身体の前面ラインと腕の軸ラインを示し、これらのなす角度をβで示している。符号Ｄは、文字盤の子午線を示す。
従来の技術には、一応下記のような問題点を指摘することができる。
１．人体工学的に腕時計で時刻標示の「１２」を上方に「６」を下方に視るように、すなわち掛時計のように正視（ここでは、視線を前方に向けて視る状態をいう）しようとすると無理があった。
２．通常、装着者が腕時計を確認する時、袖をめくって身体の前面ラインに対して腕の軸ラインのなす角度βが約４５°となるような状態で視ることが多い。これは、無理なく軽く腕を曲げた状態である。また、手を膝に置いていたり、足を組んでいたりしながら視たりする。
３．この結果、正視した場合に、必ずしも文字盤の「１２」の時刻位置が真上に来ない。図４(Ａ)の左腕に装着した場合は、真上はむしろ「１」の時刻位置であり、真下が「７」の時刻位置となる。図４(Ｂ)の右腕に装着した場合は、真上はむしろ「１１」の時刻位置であり、真下が「５」の時刻位置となる。さらに、図示の例のように各数字が子午線に平行な向きで配置されている場合、各数字も傾いている。従って、正視に近い見易い状態とするためには、大きく腕まくりしたり、腕をさらに大きく曲げて身体の前面ラインと腕の軸ラインとをほぼ平行にしたりしなければならない。
【０００５】
また、特許文献１、２のようにバンド中央線に対して文字盤等を直角に配置した（図４の文字盤が９０°回転した状態となる）場合も、腕を軽く曲げた状態においては同じ状況となり、文字盤を正視することができない。
【０００６】
上記の問題点に鑑み、本考案は、人体工学的に自然な姿勢で腕時計を確認する際に、文字盤が見易くなるような腕時計を提供することを目的とする。
【課題を解決するための手段】
【０００７】
本考案は、上述のような問題を解決するため、下記のようになるものである。
本考案の第１の態様は、時計本体と、該時計本体に取り付けられた帯状のバンドとを有する腕時計であって、左腕に装着するための左腕用時計における時計本体の文字盤の子午線が、前記バンドの長手方向に沿った中央線に対して、文字盤の中心の周りに右に２５°〜３５°のいずれかの角度だけ回転した位置となるように該文字盤を配置したことを特徴とする。特に、３０°とすることが好適である。
【０００８】
本考案の第２の態様は、時計本体と、該時計本体に取り付けられた帯状のバンドとを有する腕時計であって、右腕に装着するための右腕用時計における時計本体の文字盤の子午線が、前記バンドの長手方向に沿った中央線に対して、文字盤の中心の周りに左に２５°〜３５°のいずれかの角度だけ回転した位置となるように該文字盤を配置したことを特徴とする。特に、３０°とすることが好適である。
【考案の効果】
【０００９】
本考案は、上述のように構成されているので、下記のような効果を期待することができる。
文字盤の子午線を、バンド中央線に対して、文字盤の中心の周りに２５°〜３５°回転させて配置することにより、時計を見る時、腕まくりを大きく行うとか、身体にあまり近付けなくても、文字盤をほぼ正視できる。すなわち、身体の前面ラインに対して腕の軸ラインのなす角度βが約４５°となるように腕を軽く曲げた状態で、「１２」の時刻位置がほぼ真上となる。
特に、文字盤を右腕用時計では左へ３０°、左腕用時計では右へ３０°回転させた状態でほぼ正視できる生活行動が、日常的で自然であるので好適である。腕の曲がりが４５°の場合は、若干、頸または視線を時計の方へ傾けることとなるが、時計を視るときに装着した側の腕の方へ、若干、頸または視線を傾けることも自然な動作である。このように、頸の向きや視線の向きを不自然に大きく捻る必要はない。
【考案を実施するための最良の形態】
【００１０】
図面を参照して実施の形態の詳細を説明する。
図１(Ａ)及び(Ｂ)は、本考案による腕時計の一実施例をそれぞれ示す正面図であり、(Ａ)は左腕に装着するための、(Ｂ)は右腕に装着するための腕時計である。
図１(Ａ)を参照すると、左腕用時計１Ａは、時計本体７と、時計本体７の両側に取り付けられた帯状のバンド２とを有する。時計本体７の正面側には枠４内に文字盤３が固定されている。図示の例では、文字盤３の中心５を基点として、短針、長針及び秒針の３つの針６が設けられている。秒針のない腕時計もある。文字盤３のデザインは多様であるが、少なくとも基準となる時刻位置（通常は「１２」の時刻位置）が判るような標示がされている。図示の例では、各時刻位置に「１」〜「１２」のアラビア数字３ａが標示されると共に、所定の長さの時刻線３ｂが文字盤３の中心５に対して放射方向に標示されている。「１２」の時刻位置と「６」の時刻位置を結ぶ文字盤中央線である子午線Ｄは、中心５を通る直線である。
【００１１】
バンド２の長手方向に沿った幅Ｗの中央位置を通るバンド中央線Ｃもまた、延長すると時計本体７の文字盤３の中心５を通っており、中心５において子午線Ｄと交差している。この左腕用時計においては、子午線Ｄが、バンド中央線Ｃに対して、中心周りに右にαの角度だけ回転した位置となるように、文字盤３が配置されている。αは、２５°〜３５°のいずれかの角度であり、好適には３０°である。図示の例は、αが３０°の場合であり、「１１」及び「５」の時刻位置が、バンド中央線Ｃ上に位置している。
【００１２】
図１(Ｂ)は、右腕用時計１Ｂであるが、左腕用時計１Ａとの違いは、子午線Ｄが、バンド中央線Ｃに対して、中心周りに左にαの角度だけ回転した位置となるように、文字盤３が配置されている点である。αは、２５°〜３５°のいずれかの角度であり、好適には３０°である。図示の例は、αが３０°の場合であり、「１」及び「７」の時刻位置がバンド中央線Ｃ上に位置している。
【００１３】
図２(Ａ)及び(Ｂ)は、それぞれ図１(Ａ)及び(Ｂ)の左腕用時計または右腕用時計を装着し、時刻を確認する際の状態を示した図である。身体の前面ラインと腕の軸ラインとのなす角度βが３０°の場合、左腕用時計１Ａ及び右腕用時計１Ｂのいずれも、文字盤を正視できる。すなわち、「１２」の時刻位置が真上にあり、「６」の時刻位置が真下にあり、子午線Ｄが身体の前面ラインに対して垂直となっている。各時刻数字もまた、身体の前面ラインに対して垂直となっており、左右いずれにも傾いていない。この結果、図４に示した従来技術に比べて非常に見易い状態となっている。
【００１４】
図３(Ａ)及び(Ｂ)は、それぞれ本考案による左腕用時計の変形例を示している。図示しないが、右腕用時計についても同様の変形例があり得る。図３(Ａ)は、枠４が角形で文字盤３が丸形の左腕用時計１Ａ１である。図３(Ｂ)は、枠４が角形で文字盤３が角形の左腕用時計１Ａ２である。また、図示しないが、枠または文字盤が楕円形の場合も本考案を適用することで、同様の効果が得られる。本考案は、枠または文字盤の形状に依らず適用可能である。また、上述の例では、各時刻数字が、いずれも子午線Ｄに平行な向きで標示されていたが、各時刻数字の向きが中心に対して放射方向に向いて標示された文字盤もある。そのような文字盤についても、本考案を同様に適用可能である。さらに、本考案による腕時計を、手首の内側に正面を向けて装着した場合にも同じ効果が得られる。
【図面の簡単な説明】
【００１５】
【図１】本考案による腕時計の一実施例をそれぞれ示す正面図であり、(Ａ)は左腕に装着するための、(Ｂ)は右腕に装着するための腕時計である。
【図２】(Ａ)及び(Ｂ)は、それぞれ図１(Ａ)及び(Ｂ)の左腕用時計または右腕用時計を装着し、時刻を確認する際の状態を示した図である。
【図３】(Ａ)及び(Ｂ)は、それぞれ本考案による左腕用時計の変形例を示している。
【図４】(Ａ)及び(Ｂ)は、それぞれ左腕または右腕に装着した従来の一般的な腕時計１００において、時刻を確認する際の状態を示す図である。
【符号の説明】
【００１６】
１Ａ、１Ａ１、１Ａ２：左腕用時計
１Ｂ：右腕用時計
２：バンド
３：文字盤
３ａ：時刻数字
３ｂ：時刻線
４：枠
５：中心
６：針
７：時計本体
Ｃ：バンド中央線
Ｄ：子午線
【図１】
0003146729.tif 000003
【図２】
0003146729.tif 000004
【図３】
0003146729.tif 000005
【図４】
0003146729.tif 000006